(57)【要約】 【課題】複数の放送ＴＳ信号に対するＴＳ処理及びＦＥＣ処理を、一系統のハードウェアで実施することが可能なデジタル放送信号処理装置及びこの装置で用いられるデジタル信号処理方法を提供する。【解決手段】放送ＴＳ信号を複数チャンネルからフレーム単位で受信するデジタル放送信号処理装置は、多重化処理部、ＦＥＣ処理部、連結処理部、ＯＦＤＭ変調部を具備する。多重化処理部は、指示ビットを複数のチャンネルからの放送ＴＳ信号の有効パケットに付加して放送ＴＳ信号を多重する。ＦＥＣ処理部は、多重化処理部からの多重信号に含まれる有効パケットに付加された指示ビットを参照して有効パケットのチャンネルを判断し、チャンネル毎にＦＥＣ符号化を行う。連結処理部は、ＦＥＣ符号化が終了した信号を前記チャンネル毎に連結する。ＯＦＤＭ変調部は、連結信号に対してＯＦＤＭ変調を行う。【選択図】図１
2012195865.tif 000002
【特許請求の範囲】
【請求項１】
ヌルパケットと有効パケットとを含む放送ＴＳ（Transport Stream）信号を、複数チャンネルからフレーム単位で受信するデジタル放送信号処理装置において、
いずれのチャンネルからのパケットであるかを示す指示ビットを、前記複数のチャンネルからの放送ＴＳ信号の有効パケットに付加し、前記指示ビットを付加した有効パケットを含む放送ＴＳ信号を、前記ヌルパケットを置き換えるように多重して多重信号として出力する多重化処理部と、
前記多重信号に含まれる有効パケットに付加された指示ビットを参照して有効パケットのチャンネルを判断し、前記チャンネル毎にＦＥＣ（Forward Error Correction）符号化を行うＦＥＣ処理部と、
前記ＦＥＣ符号化が終了した信号を前記チャンネル毎に連結して出力する連結処理部と、
前記連結処理部からの連結信号に対してＯＦＤＭ（Orthogonal Frequency Division Multiplexing）変調を行うＯＦＤＭ変調部と
を具備することを特徴とするデジタル放送信号処理装置。
【請求項２】
前記放送ＴＳ信号は、ＯＦＤＭ変調に必要な管理情報が格納される情報パケットをさらに含み、
前記多重信号に含まれる情報パケットからチャンネル毎の管理情報を読み出すＴＳ処理部をさらに具備し、
前記ＯＦＤＭ化処理部は、前記チャンネル毎の管理情報に基づいて、前記チャンネル毎の有効パケットに対してＯＦＤＭ変調を行うことを特徴とする請求項１記載のデジタル放送信号処理装置。
【請求項３】
前記放送ＴＳ信号は、１セグ放送を行う地上デジタル音声システムにおいて伝送されることを特徴とする請求項１及び２のいずれかに記載のデジタル放送信号処理装置。
【請求項４】
前記放送ＴＳ信号は、３セグ放送を行う地上デジタル音声システムにおいて伝送されることを特徴とする請求項１及び２のいずれかに記載のデジタル放送信号処理装置。
【請求項５】
ヌルパケットと有効パケットとを含む放送ＴＳ（Transport Stream）信号を、複数チャンネルからフレーム単位で受信するデジタル放送信号処理装置で用いられるデジタル信号処理方法において、
いずれのチャンネルからのパケットであるかを示す指示ビットを、前記複数のチャンネルからの放送ＴＳ信号の有効パケットに付加し、
前記指示ビットを付加した有効パケットを含む放送ＴＳ信号を、前記ヌルパケットを置き換えるように多重して多重信号として出力し、
前記多重信号に含まれる有効パケットに付加された指示ビットを参照して有効パケットのチャンネルを判断し、
チャンネル毎にＦＥＣ（Forward Error Correction）符号化を行い、
前記ＦＥＣ符号化が終了した信号を前記チャンネル毎に連結して出力し、
前記連結した信号に対してＯＦＤＭ（Orthogonal Frequency Division Multiplexing）変調を行うことを特徴とするデジタル放送信号処理方法。
【発明の詳細な説明】
【技術分野】
【０００１】
本発明の実施形態は、複数チャンネルの放送ＴＳ（Transport Stream）信号を受信し、ＯＦＤＭ（Orthogonal Frequency Division Multiplexing）処理して出力するデジタル放送信号処理装置及びこの装置で用いられるデジタル信号処理方法に関する。
【背景技術】
【０００２】
地上デジタル音声システム（実用化試験放送）において、デジタル放送信号処理装置は、複数チャンネルの放送ＴＳ信号を受信し、受信した放送ＴＳ信号についてのＴＳ処理及びＦＥＣ（Forward Error Correction）処理を、それぞれ個別のハードウェアで行う。そして、デジタル放送信号処理装置は、ＦＥＣ処理後の信号を連結し、ＩＦＦＴ以降のＯＦＤＭ化を行うようにしている。
【０００３】
ところで、１セグ放送、３セグ放送を行う地上デジタル音声システムでは、放送ＴＳ信号は、１フレーム中に有効パケットと、ヌルパケットと称される固定の信号を含んでいる。有効パケットの容量は、１フレームのデータ容量の１０分の１以下である。なおヌルパケットは、ＦＥＣ処理の段階で除去される。
【０００４】
しかしながら、１フレーム中の有効パケットが少ない放送ＴＳ信号に対して、チャンネル毎に個別のハードウェアでＴＳ処理及びＦＥＣ処理を行うということは、１セグ放送、３セグ放送を行う地上デジタル音声システムのハードウェア構成の上で非効率であるという問題がある。
【先行技術文献】
【特許文献】
【０００５】
【特許文献１】特開２００５−１１７２４３号公報
【発明の概要】
【発明が解決しようとする課題】
【０００６】
以上のように、１セグ放送、３セグ放送を行う地上デジタル音声システムにおける従来のデジタル放送信号処理装置は、放送ＴＳ信号に含まれる有効パケットが少ないにも関らず、チャンネル毎に個別のハードウェアでＦＥＣ処理等を行っているため、非効率であるという問題があった。
【０００７】
そこで、目的は、複数の放送ＴＳ信号に対するＴＳ処理及びＦＥＣ処理を、一系統のハードウェアで実施することが可能なデジタル放送信号処理装置及びこの装置で用いられるデジタル信号処理方法を提供することにある。
【課題を解決するための手段】
【０００８】
実施形態によれば、ヌルパケットと有効パケットとを含む放送ＴＳ（Transport Stream）信号を、複数チャンネルからフレーム単位で受信するデジタル放送信号処理装置は、多重化処理部、ＦＥＣ処理部、連結処理部、ＯＦＤＭ変調部を具備する。多重化処理部は、いずれのチャンネルからのパケットであるかを示す指示ビットを、前記複数のチャンネルからの放送ＴＳ信号の有効パケットに付加し、前記指示ビットを付加した有効パケットを含む放送ＴＳ信号を、前記ヌルパケットを置き換えるように多重して多重信号として出力する。ＦＥＣ処理部は、前記多重信号に含まれる有効パケットに付加された指示ビットを参照して有効パケットのチャンネルを判断し、前記チャンネル毎にＦＥＣ（Forward Error Correction）符号化を行う。連結処理部は、前記ＦＥＣ符号化が終了した信号を前記チャンネル毎に連結して出力する。ＯＦＤＭ変調部は、前記連結処理部からの連結信号に対してＯＦＤＭ（Orthogonal Frequency Division Multiplexing）変調を行う。
【図面の簡単な説明】
【０００９】
【図１】実施形態に係るデジタル放送信号処理装置の機能構成を示すブロック図である。
【図２】図１のデジタル放送信号処理装置による信号処理の手順を示すフローチャートである。
【図３】図１の多重化処理部が受け取る、１フレーム分の放送ＴＳ信号を示す図である。
【図４】図１の多重化処理部からＴＳ処理部へ出力される多重信号を示す図である。
【図５】図１の連結処理部からＯＦＤＭ変調部へ出力される連結信号を示す図である。
【発明を実施するための形態】
【００１０】
以下、実施の形態について、図面を参照して説明する。
【００１１】
図１は、実施形態に係るデジタル放送信号処理装置の機能構成を示すブロック図である。図１に示すデジタル放送信号処理装置は、１セグ放送、３セグ放送を行う地上デジタル音声システムで用いられる。デジタル放送信号処理装置は、多重化処理部１０、ＴＳ（Transport Stream）処理部２０、ＦＥＣ（Forward Error Correction）処理部３０、連結処理部４０及びＯＦＤＭ（Orthogonal Frequency Division Multiplexing）変調部５０を具備する。
【００１２】
多重化処理部１０には、８チャンネルの放送ＴＳ信号が並列して供給される。放送ＴＳ信号は、モード３、ガードインターバル比１／１６の場合、１フレーム当り４３５２パケットのパケットデータを有する。パケットデータには、有効パケット、ヌルパケット及びＩＩＰ（ISDB-T Information Packet）が含まれる。ヌルパケットは、固定の信号が格納されたパケットデータである。ＩＩＰは、ＦＥＣ処理部３０及びＯＦＤＭ変調部５０でのＯＦＤＭ変調で用いられる変調情報及びインタリーブ情報等の管理情報が格納される情報パケットである。
【００１３】
多重化処理部１０は、例えば、ＦＰＧＡ（Field Programmable Gate Array）及び汎用メモリにより実現される。多重化処理部１０は、各チャンネルからの放送ＴＳ信号１〜８を受け取り、供給された放送ＴＳ信号１〜８に含まれるパケットデータのうち、有効パケットにレイヤインジケータを付加する。レイヤインジケータは、パケットデータがいずれのチャンネルから供給されたのかを示す指示ビットであり、有効パケットにおける所定の位置に４ビットで付加される。
【００１４】
多重化処理部１０は、レイヤインジケータを有効パケットに付加した後、複数のチャンネルからの放送ＴＳ信号を多重し、一つの多重信号を生成する。このとき、多重化処理部１０は、予め設定された多重フレームに基づいて、放送ＴＳ信号を時間的に多重するため、放送ＴＳ信号１〜８に含まれるヌルパケットのうちいくつかは除去されることとなる。また、ＩＩＰは、多重信号における予め設定した位置にまとめて配置する。多重化処理部１０は、多重信号をＴＳ処理部２０へ出力する。
【００１５】
ＴＳ処理部２０は、多重化処理部１０からの多重信号に含まれるチャンネル毎のＩＩＰから、チャンネル毎の管理情報を読み出す。
【００１６】
ＦＥＣ処理部３０は、ＴＳ処理部２０から多重信号を受け取り、多重信号の有効パケットに付加されたレイヤインジケータを参照し、有効パケット毎のチャンネルを判断し、チャンネル毎にＦＥＣ処理を行う。
【００１７】
連結処理部４０は、ＦＥＣ処理後の信号を連結して出力する。
【００１８】
ＯＦＤＭ変調部５０は、連結処理部４０からの信号に対してＯＦＤＭ変調を行う。
【００１９】
次に、以上のように構成されたデジタル放送信号処理装置による信号処理を詳細に説明する。図２は、本実施形態に係るデジタル放送信号処理装置による信号処理の手順の一例を示すフローチャートである。
【００２０】
まず、デジタル放送信号処理装置は、多重化処理部１０により、各チャンネルから放送ＴＳ信号１〜８を受け取る（ステップＳ２１）。図３は、多重化処理部１０が受け取る、１フレーム分の放送ＴＳ信号１〜８の模式図を示す。それぞれの放送ＴＳ信号には、ＩＩＰ、有効パケット及びヌルパケットが含まれる。図３において、放送ＴＳ信号１は有効パケット１−１，１−２，…，１−ｎを有し、放送ＴＳ信号２は有効パケット２−１，２−２，…，２−ｎを有する。その他の放送ＴＳ信号も同様に有効パケットを有する。
【００２１】
多重化処理部１０は、放送ＴＳ信号１〜８を受け取ると、放送ＴＳ信号に含まれる有効パケットに対してレイヤインジケータを順次付加する（ステップＳ２２）。多重化処理部１０は、レイヤインジケータを付加した後、予め設定された多重フレームに従い、放送ＴＳ信号１〜８に基づいて一つの多重信号を生成する（ステップＳ２３）。図４は、多重化処理部１０からＴＳ処理部２０へ出力される多重信号の一例を示す模式図である。図４に示す多重信号では、有効パケット１−１，１−２，…，１−ｎのように、各チャンネルからの有効パケットが順番に配置される。なお、図４においては、多重信号の一番最後に各チャンネルのＩＩＰがまとめて配置されるとする。
【００２２】
ＴＳ処理部２０は、図４に示す多重信号から、ＩＩＰに格納されている管理情報を読み出す（ステップＳ２４）。このとき、ＴＳ処理部２０は、チャンネル毎のＩＩＰからチャンネル毎の管理情報を読み出す。ＦＥＣ処理部３０は、ＴＳ処理後の多重信号を受け取り、多重信号に含まれる有効パケットそれぞれに対してＦＥＣ符号化を行う（ステップＳ２５）。
【００２３】
連結処理部４０は、ＦＥＣ符号化後の信号を受け取り、チャンネル毎に連結して出力する（ステップＳ２６）。図５は、連結処理部４０からＯＦＤＭ変調部５０へ出力される連結信号の一例を示す模式図である。
【００２４】
ＯＦＤＭ変調部５０は、図５に示す連結信号を受け取り、その信号に対してＯＦＤＭ変調を行う（ステップＳ２７）。
【００２５】
以上のように、上記実施形態では、放送ＴＳ信号の１フレーム中の有効パケットの容量が１０分の１以下であることを利用し、放送ＴＳ信号１〜８を時間的に多重する。そして、１つのまとめた多重信号に対して、時分割でＴＳ処理及びＦＥＣ処理を行うようにしている。これにより、放送ＴＳ信号１〜８に対するＴＳ処理及びＦＥＣ処理を、一系統のハードウェアで実施することが可能となる。
【００２６】
したがって、本実施形態に係るデジタル放送信号処理装置によれば、１セグ放送、３セグ放送を行う地上デジタル音声システムにおいて、ハードウェア構成を簡略化でき、省スペース化及び省電力化を図ることができる。
【００２７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２８】
１０…多重化処理部
２０…ＴＳ処理部
３０…ＦＥＣ処理部
４０…連結処理部
５０…ＯＦＤＭ変調部
【図１】
2012195865.tif 000003
【図２】
2012195865.tif 000004
【図３】
2012195865.tif 000005
【図４】
2012195865.tif 000006
【図５】
2012195865.tif 000007